(57)【要約】【課題】ロック状態の画面からであっても、利用者にとって違和感無く、かつ迅速にアプリケーションを起動することができる携帯電子機器、制御方法、および、制御プログラムを提供することを課題とする。【解決手段】本発明は、第１オブジェクト、および、アプリケーションが対応付けられた少なくとも１つの第２オブジェクトを含む画面を表示中に、ロックされた状態で操作部により第１オブジェクトに対する第１操作の入力が検出された場合は、ロックを解除し、操作部により第１オブジェクトを第２オブジェクトまで移動させる第２操作の入力が検出された場合は、ロックを解除した上で当該第２オブジェクトに対応するアプリケーションを起動する。【選択図】図３
2013041378.tif 000002
【特許請求の範囲】
【請求項１】
第１オブジェクト、および、アプリケーションが対応付けられた少なくとも１つの第２オブジェクトを含む画面を表示する表示部と、
操作の入力を検出する操作部と、
ロックされた状態で前記操作部により前記第１オブジェクトに対する第１操作の入力が検出された場合は、前記ロックを解除し、前記操作部により前記第１オブジェクトを前記第２オブジェクトまで移動させる第２操作の入力が検出された場合は、前記ロックを解除した上で当該第２オブジェクトに対応する前記アプリケーションを起動する制御部と、
を備えたことを特徴とする携帯電子機器。
【請求項２】
前記アプリケーションは、テキストエディタを含み、
前記制御部は、前記操作部により、前記第１オブジェクトを前記テキストエディタの第２オブジェクトまで移動させる第２操作の入力が検出された場合、前記ロックを解除した上で当該第２オブジェクトに対応する前記テキストエディタを起動することを特徴とする請求項１に記載の携帯電子機器。
【請求項３】
前記第１操作は、前記第１オブジェクトを前記画面の端部へ移動させる操作を含むことを特徴とする請求項１または２に記載の携帯電子機器。
【請求項４】
前記画面は、前記第１オブジェクトが移動可能な軌道の経路をさらに含み、
前記第１操作は、前記第１オブジェクトを、前記経路上を経由して前記画面の端部へ移動させる操作であり、
前記第２操作は、前記第１オブジェクトを、前記経路上を経由して前記第２オブジェクトまで移動させる操作であることを特徴とする請求項３に記載の携帯電子機器。
【請求項５】
前記画面は、第１の画面であり、
前記第１の画面は、前記第１オブジェクトが移動可能な軌道でかつ前記画面の特定端部まで延在する経路を含み、
前記制御部は、前記表示部に前記第１の画面が表示されている状態で、前記操作部により前記第１オブジェクトを前記特定端部へ移動させる第３操作が検出された場合、前記第１の画面から、前記第１オブジェクトおよび前記第１の画面に含まれる前記アプリケーションとは別のアプリケーションが対応付けられた少なくとも１つの第２オブジェクトを含む第２の画面へ表示を切り替えることを特徴とする請求項１から４のいずれか一項に記載の携帯電子機器。
【請求項６】
前記アプリケーションの使用頻度情報を記憶する記憶部、を更に備え、
前記制御部は、前記記憶部に記憶された前記使用頻度情報に基づいて、使用頻度がより高いアプリケーションの前記第２オブジェクトをより大きく表示し、使用頻度がより低いアプリケーションの前記第２オブジェクトをより小さく表示することを特徴とする請求項１から５のいずれか一項に記載の携帯電子機器。
【請求項７】
前記アプリケーションの使用頻度情報を記憶する記憶部、を更に備え、
前記制御部は、前記記憶部に記憶された前記使用頻度情報に基づいて、前記画面に含まれる前記第２オブジェクトのうち、使用頻度が所定閾値未満となるアプリケーションの第２オブジェクトを、前記画面に表示しないことを特徴とする請求項１から５のいずれか一項に記載の携帯電子機器。
【請求項８】
前記アプリケーションの使用頻度情報を記憶する記憶部、を更に備え、
前記制御部は、前記記憶部に記憶された前記使用頻度情報に基づいて、前記画面に含まれる前記第２オブジェクトのアプリケーションとは別のアプリケーションのうち、使用頻度が所定閾値以上となるアプリケーションの第２オブジェクトを、前記画面に表示させることを特徴とする請求項１から５のいずれか一項に記載の携帯電子機器。
【請求項９】
前記制御部は、
前記操作部により、前記画面上の前記第２オブジェクトのうち一の第２オブジェクトを、他の第２オブジェクトまで移動させる操作の入力が検出された場合、当該一の第２オブジェクトと当該他の第２オブジェクトの表示位置を入れ替えて表示するよう前記表示部を制御することを特徴とする請求項１から８のいずれか一項に記載の携帯電子機器。
【請求項１０】
第１オブジェクト、および、アプリケーションが対応付けられた少なくとも１つの第２オブジェクトを含む画面を表示する表示部と、操作の入力を検出する操作部と、を備える携帯電子機器の制御方法であって、
ロックされた状態で、前記第１オブジェクトに対する前記操作部による第１操作の入力が検出されたか否かを判定する第１判定ステップと、
前記第１判定ステップにて前記第１操作の入力が検出されたと判定された場合、前記ロックを解除するロック解除ステップと、
前記ロックされた状態で、前記操作部により、前記第１オブジェクトを前記第２オブジェクトまで移動させる第２操作の入力が検出されたか否かを判定する第２判定ステップと、
前記第２判定ステップにて前記第２操作の入力が検出されたと判定された場合、前記ロックを解除した上で当該第２オブジェクトに対応する前記アプリケーションを起動する起動ステップと、
を含むことを特徴とする制御方法。
【請求項１１】
第１オブジェクト、および、アプリケーションが対応付けられた少なくとも１つの第２オブジェクトを含む画面を表示する表示部と、操作の入力を検出する操作部と、を備える携帯電子機器に、
ロックされた状態で、前記第１オブジェクトに対する前記操作部による第１操作の入力が検出されたか否かを判定する第１判定ステップと、
前記第１判定ステップにて前記第１操作の入力が検出されたと判定された場合、前記ロックを解除するロック解除ステップと、
前記ロックされた状態で、前記操作部により、前記第１オブジェクトを前記第２オブジェクトまで移動させる第２操作の入力が検出されたか否かを判定する第２判定ステップと、
前記第２判定ステップにて前記第２操作の入力が検出されたと判定された場合、前記ロックを解除した上で当該第２オブジェクトに対応する前記アプリケーションを起動する起動ステップと、
を実行させることを特徴とする制御プログラム。
【発明の詳細な説明】
【技術分野】
【０００１】
本発明は、携帯電子機器、制御方法、および、制御プログラムに関する。
【背景技術】
【０００２】
近年、スマートフォン等のタッチパネルを備える携帯電子機器が一般化している（特許文献１参照）。また、携帯電子機器には、誤操作または他人による不正利用を防止することを目的に、画面ロックする機能が存在する（特許文献２参照）。
【先行技術文献】
【特許文献】
【０００３】
【特許文献１】特開２０１０−３９７７２号公報
【特許文献２】特開２０１１−４８２０４号公報
【発明の概要】
【発明が解決しようとする課題】
【０００４】
しかしながら、従来の携帯電子機器（特許文献１および２等）では、アプリケーションの機能を利用する場合、ロックを解除する必要があった。つまり、携帯電子機器では、ロックを解除するために、ディスプレイ照明をオンにし、タッチパネル上でロック解除操作を行う必要があった。そのため、携帯電子機器は、例えば、ロックを解除した後、所望の機能をメニューから選択する操作が必要となる。このため、利用者は、所望の機能を起動させるために、複数の画面を遷移させることになり、操作に手間がかかる。
【０００５】
本発明は、上記問題点に鑑みてなされたもので、ロック状態の画面からであっても、利用者にとって違和感無く、かつ迅速にアプリケーションを起動することができる携帯電子機器、制御方法、および、制御プログラムを提供することを目的とする。
【課題を解決するための手段】
【０００６】
上述した課題を解決し、目的を達成するために、本発明に係る携帯電子機器は、第１オブジェクト、および、アプリケーションが対応付けられた少なくとも１つの第２オブジェクトを含む画面を表示する表示部と、操作の入力を検出する操作部と、ロックされた状態で前記操作部により前記第１オブジェクトに対する第１操作の入力が検出された場合は、前記ロックを解除し、前記操作部により前記第１オブジェクトを前記第２オブジェクトまで移動させる第２操作の入力が検出された場合は、前記ロックを解除した上で当該第２オブジェクトに対応する前記アプリケーションを起動する制御部と、を備えたことを特徴とする。
【０００７】
ここで、上記記載の携帯電子機器において、前記アプリケーションは、テキストエディタを含み、前記制御部は、前記操作部により、前記第１オブジェクトを前記テキストエディタの第２オブジェクトまで移動させる第２操作の入力が検出された場合、前記ロックを解除した上で当該第２オブジェクトに対応する前記テキストエディタを起動することが好ましい。
【０００８】
また、上記記載の携帯電子機器において、前記第１操作は、前記第１オブジェクトを前記画面の端部へ移動させる操作を含むことが好ましい。
【０００９】
また、上記記載の携帯電子機器において、前記画面は、前記第１オブジェクトが移動可能な軌道の経路をさらに含み、前記第１操作は、前記第１オブジェクトを、前記経路上を経由して前記画面の端部へ移動させる操作であり、前記第２操作は、前記第１オブジェクトを、前記経路上を経由して前記第２オブジェクトまで移動させる操作であることが好ましい。
【００１０】
また、上記記載の携帯電子機器において、前記画面は、第１の画面であり、前記第１の画面は、前記第１オブジェクトが移動可能な軌道でかつ前記画面の特定端部まで延在する経路を含み、前記制御部は、前記表示部に前記第１の画面が表示されている状態で、前記操作部により前記第１オブジェクトを前記特定端部へ移動させる第３操作が検出された場合、前記第１の画面から、前記第１オブジェクトおよび前記第１の画面に含まれる前記アプリケーションとは別のアプリケーションが対応付けられた少なくとも１つの第２オブジェクトを含む第２の画面へ表示を切り替えることが好ましい。
【００１１】
また、上記記載の携帯電子機器において、前記アプリケーションの使用頻度情報を記憶する記憶部、を更に備え、前記制御部は、前記記憶部に記憶された前記使用頻度情報に基づいて、使用頻度がより高いアプリケーションの前記第２オブジェクトをより大きく表示し、使用頻度がより低いアプリケーションの前記第２オブジェクトをより小さく表示することが好ましい。
【００１２】
また、上記記載の携帯電子機器において、前記アプリケーションの使用頻度情報を記憶する記憶部、を更に備え、前記制御部は、前記記憶部に記憶された前記使用頻度情報に基づいて、前記画面に含まれる前記第２オブジェクトのうち、使用頻度が所定閾値未満となるアプリケーションの第２オブジェクトを、前記画面に表示しないことが好ましい。
【００１３】
また、上記記載の携帯電子機器において、前記アプリケーションの使用頻度情報を記憶する記憶部、を更に備え、前記制御部は、前記記憶部に記憶された前記使用頻度情報に基づいて、前記画面に含まれる前記第２オブジェクトのアプリケーションとは別のアプリケーションのうち、使用頻度が所定閾値以上となるアプリケーションの第２オブジェクトを、前記画面に表示させることが好ましい。
【００１４】
また、上記記載の携帯電子機器において、前記制御部は、前記操作部により、前記画面上の前記第２オブジェクトのうち一の第２オブジェクトを、他の第２オブジェクトまで移動させる操作の入力が検出された場合、当該一の第２オブジェクトと当該他の第２オブジェクトの表示位置を入れ替えて表示するよう前記表示部を制御することが好ましい。
【００１５】
本発明に係る制御方法は、第１オブジェクト、および、アプリケーションが対応付けられた少なくとも１つの第２オブジェクトを含む画面を表示する表示部と、操作の入力を検出する操作部と、を備える携帯電子機器の制御方法であって、ロックされた状態で、前記第１オブジェクトに対する前記操作部による第１操作の入力が検出されたか否かを判定する第１判定ステップと、前記第１判定ステップにて前記第１操作の入力が検出されたと判定された場合、前記ロックを解除するロック解除ステップと、前記ロックされた状態で、前記操作部により、前記第１オブジェクトを前記第２オブジェクトまで移動させる第２操作の入力が検出されたか否かを判定する第２判定ステップと、前記第２判定ステップにて前記第２操作の入力が検出されたと判定された場合、前記ロックを解除した上で当該第２オブジェクトに対応する前記アプリケーションを起動する起動ステップと、を含むことを特徴とする。
【００１６】
本発明に係る制御プログラムは、第１オブジェクト、および、アプリケーションが対応付けられた少なくとも１つの第２オブジェクトを含む画面を表示する表示部と、操作の入力を検出する操作部と、を備える携帯電子機器に、ロックされた状態で、前記第１オブジェクトに対する前記操作部による第１操作の入力が検出されたか否かを判定する第１判定ステップと、前記第１判定ステップにて前記第１操作の入力が検出されたと判定された場合、前記ロックを解除するロック解除ステップと、前記ロックされた状態で、前記操作部により、前記第１オブジェクトを前記第２オブジェクトまで移動させる第２操作の入力が検出されたか否かを判定する第２判定ステップと、前記第２判定ステップにて前記第２操作の入力が検出されたと判定された場合、前記ロックを解除した上で当該第２オブジェクトに対応する前記アプリケーションを起動する起動ステップと、を実行させることを特徴とする。
【発明の効果】
【００１７】
この発明によれば、ロック状態の画面からであっても、利用者にとって違和感無く、かつ迅速にアプリケーションを起動することができるという効果を奏する。
【図面の簡単な説明】
【００１８】
【図１】図１は、携帯電話端末の外観を示す正面図である。
【図２】図２は、携帯電話端末の機能的な構成を示すブロック図である。
【図３】図３は、携帯電話端末の基本処理の一例を示すフローチャートである。
【図４】図４は、本実施形態にかかるロック画面の一例を示す図である。
【図５】図５は、第１操作が行われた場合のロック画面の一例を示す図である。
【図６】図６は、第２操作が行われた場合のロック画面の一例を示す図である。
【図７】図７は、テキストエディタを起動した場合の操作画面の一例を示す図である。
【図８】図８は、アイコンの入れ替え操作が行われた場合のロック画面の一例を示す図である。
【図９】図９は、携帯電話端末の表示制御処理の一例を示すフローチャートである。
【図１０】図１０は、アプリケーションの使用頻度に基づいてアイコンが拡大縮小表示された場合のロック画面の一例を示す図である。
【図１１】図１１は、携帯電話端末の表示制御処理の別の一例を示すフローチャートである。
【図１２】図１２は、所定期間内で使用頻度が所定閾値未満となるアプリケーションのアイコンが消去された場合のロック画面の一例を示す図である。
【図１３】図１３は、使用頻度が所定閾値以上となるアプリケーションのアイコンが表示された場合のロック画面の一例を示す図である。
【発明を実施するための形態】
【００１９】
以下、本発明につき図面を参照しつつ詳細に説明する。また、以下の説明により本発明が限定されるものではない。また、以下の説明における構成要素には、当業者が容易に想定できるもの、実質的に同一のもの、いわゆる均等の範囲のものが含まれる。以下においては、携帯電子機器の一例として携帯電話端末について説明するが、本発明の適用対象は携帯電話端末に限定されるものではなく、各種携帯電子機器、例えば、ＰＨＳ（Ｐｅｒｓｏｎａｌ  Ｈａｎｄｙ−ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ゲーム機等に対しても本発明は適用できる。
【００２０】
まず、図１を参照しながら、本発明に係る携帯電子機器の一実施形態である携帯電話端末１の外観について説明する。図１は、携帯電話端末１の外観を示す正面図である。図１に示すように、携帯電話端末１は、筐体２０を有し、その筐体２０の表面にタッチセンサ２Ａおよび表示部２Ｂで構成されるタッチパネル２と、入力部３と、レシーバ７と、マイク８と、を備える。
【００２１】
携帯電話端末１は、図１に示すように、筐体２０の正面側にタッチパネル２と、入力部３と、レシーバ７と、マイク８と、が配置されている。ここで、タッチパネル２は、筐体２０の正面側の略全域に配置されている。また、入力部３とマイク８とは、筐体２０の正面側の長手方向の一方の端部に配置されている。レシーバ７は、筐体２０の正面側の長手方向の他方の端部に配置されている。つまり、レシーバ７とマイク８とは、長手方向の両端にそれぞれ配置されている。ここで、タッチパネル２は、筐体２０の正面側に設けられ、文字、図形、画像等を表示するとともに、指、スタイラス、ペン等（以下、単に「指」という）を用いてタッチパネル２に対して行われる各種操作を検出する。また、入力部３は、所定の機能が割り当てられた第１ボタン３Ａおよび第２ボタン３Ｂ等の複数のボタンからなる。
【００２２】
次に、図２を参照しながら、携帯電話端末１の機能的な構成について説明する。図２は、携帯電話端末１の機能的な構成を示すブロック図である。図２に示すように、携帯電話端末１は、タッチパネル２と、入力部３と、電源部５と、通信部６と、レシーバ７と、マイク８と、記憶部９と、制御部１０と、ＲＡＭ（Ｒａｎｄｏｍ  Ａｃｃｅｓｓ  Ｍｅｍｏｒｙ）１１と、を有する。本実施形態では、タッチセンサ２Ａと入力部３とが操作部となる。
【００２３】
タッチパネル２は、文字、図形、画像等の各種の情報を表示する第１の機能を有する。タッチパネル２は、表示されたアイコン、ボタン等のオブジェクト、文字入力領域等の所定領域に対する入力操作を検出する第２の機能を有する。タッチパネル２は、タッチセンサ２Ａと、表示部２Ｂとを重畳して構成される。このタッチセンサ２Ａと表示部２Ｂとは、構成材料の一部を共有することが可能である。
【００２４】
タッチセンサ２Ａは、タッチパネル２の表面に対して行われる入力操作を検出し、検出した入力操作に応じた信号を制御部１０へ出力する。すなわち、タッチセンサ２Ａは、操作の入力を検出する操作部として機能する。タッチセンサ２Ａが各種操作を検出する方式は、静電容量方式、抵抗膜方式、表面弾性波方式（または超音波方式）、赤外線方式、電磁誘導方式、および荷重検出方式等の任意の方式でよい。タッチセンサ２Ａによって検出される操作には、タップ操作、ダブルタップ操作、ロングタップ操作、スイープ（スワイプ）操作、およびフリック操作等が含まれる。
【００２５】
タップ操作とは、指をタッチパネル２に接触させた後すぐにタッチパネル２から離す操作である。ダブルタップ操作とは、指をタッチパネル２に接触させた後すぐにタッチパネル２から離す動作を２回繰り返す操作である。ロングタップ操作とは、指をタッチパネル２に接触させ、指がタッチパネル２に接触した状態を一定時間保った後に指をタッチパネル２から離す操作である。スイープ操作とは、指をタッチパネル２に接触させたままで移動させる操作である。スイープ操作は、タッチパネル２に表示されている何らかのオブジェクトがその操作に追随して移動する場合、ドラッグ操作と呼ばれることがある。また、スイープ操作は、タッチパネル２に表示されている何らかのオブジェクトがその操作に追随して移動した位置で離された場合、ドロップ操作と呼ばれることがある。フリック操作とは、指をタッチパネル２に接触させた後、素早く払うように指を一方方向に高速で移動させながら指を離す操作である。
【００２６】
表示部２Ｂは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、または無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等などで構成され、文字または図形等を表示する。表示部２Ｂは、制御部１０から入力される制御信号に従って各種の情報を表示する。
【００２７】
入力部３は、物理的なボタン等を通じて利用者の操作を受け付け、受け付けた操作に対応する信号を制御部１０へ送信する。すなわち、入力部３は、操作の入力を検出する操作部として機能する。電源部５は、蓄電池または外部電源から得られる電力を、制御部１０を含む携帯電話端末１の各機能部へ供給する。
【００２８】
通信部６は、基地局によって割り当てられるチャネルを介し、基地局との間でＣＤＭＡ方式などによる無線信号回線を確立し、基地局との間で電話通信及び情報通信を行う。レシーバ７は、制御部１０から送信される音声信号を音声として出力する。マイク８は、利用者等の音声を音声信号へ変換して制御部１０へ送信する。
【００２９】
記憶部９は、例えば、不揮発性メモリまたは磁気記憶装置であり、制御部１０での処理に利用されるプログラムおよびデータを保存する。記憶部９に記憶されるプログラムには、メールプログラム９Ａと、ブラウザプログラム９Ｂと、ロック画面制御プログラム９Ｃとが含まれる。また、記憶部９は、携帯電話端末１の基本的な機能を実現するオペレーティングシステムプログラム、アドレス帳データ等のその他のプログラムおよびデータも記憶する。ここで、記憶部９は、例えば、テキストエディタ等のアプリケーションを実行するためのアプリケーションプログラムを更に記憶するものとする。また、これらのアプリケーションプログラムは、予め携帯電話端末１にダウンロードされインストールされたものとする。また、記憶部９は、データとして、ロック画面データ９Ｄを保存している。また、本実施形態において、記憶部９は、携帯電話端末１が有する各アプリケーションの使用頻度を示す使用頻度情報を記憶する使用頻度情報ファイル９Ｅを更に含む。ここで、使用頻度情報は、アプリケーションが起動される度にカウントされる使用回数を示す数値データである。また、使用頻度情報は、所定期間内におけるアプリケーションの使用回数を示す数値データであってもよい。ここで、記憶部９は、メモリーカード等の可搬の記憶媒体と、記憶媒体の読み取り装置との組み合わせとして構成されていてもよい。
【００３０】
メールプログラム９Ａは、電子メール機能を実現するための機能を提供する。ブラウザプログラム９Ｂは、ＷＥＢブラウジング機能を実現するための機能を提供する。ロック画面制御プログラム９Ｃは、ロック画面を表示する表示部２Ｂを制御する機能、ロック画面の設定および解除する機能、ロック画面上のアイコンに対応付けられたアプリケーションを起動する機能、ならびに、ロック画面上のアイコンを拡大縮小表示または削除する機能等を実現するための機能を提供する。本実施形態では、携帯電話端末１が有するアプリケーションのうち、例えば、テキストエディタは、文字列の入力、変換、削除等の文字編集機能を実現するための機能を提供する。
【００３１】
ロック画面データ９Ｄは、ロック画面制御プログラム９Ｃを実行して表示する各種画像のデータを有する。ロック画面データ９Ｄは、ロック画面に表示させるオブジェクト、アイコン、メッセージ等のデータを記憶している。ここで、ロック画面とは、第１操作を検出しない限り、待受画面に移行しない画面である。つまり、ロック画面は、第１操作が入力されるまで、携帯電話端末１の種々の機能を操作できないロック状態にある場合に表示する画面である。本実施形態のロック画面は、第１オブジェクト、および、アプリケーションが対応付けられた少なくとも１つの第２オブジェクト含む画面である。また、待受画面とは、電話の発着信を待ち受けている状態の画面、またはアプリケーションプログラムの起動を待ち受けている状態の画面（所謂、ホーム画面）である。換言すると、待受画面は、制御部１０が表示部２Ｂに表示させる複数のアプリケーションの操作画面へ画面が変わる前の画面である。操作画面は、携帯電話端末１が有するアプリケーションの機能を利用者に提供するための画面である。携帯電話端末１が有するアプリケーションの機能は、例えば、他の携帯電話端末との通話機能、メール送受信機能、携帯電話端末１が備えるカメラによる撮像機能、オーディオビジュアル機能、およびテキスト編集機能などである。例えば、利用者は、予め好みの画像または時計等の状態表示を背景画面として設定している。ここで、背景画面は、壁紙（Ｗａｌｌ  Ｐａｐｅｒ）とも呼ばれる。
【００３２】
制御部１０は、例えば、ＣＰＵ（Ｃｅｎｔｒａｌ  Ｐｒｏｃｅｓｓｉｎｇ  Ｕｎｉｔ）であり、携帯電話端末１の動作を統括的に制御して各種の機能を実現する。具体的には、制御部１０は、記憶部９に記憶されているデータおよびＲＡＭ１１に展開したデータを必要に応じて参照しつつ、記憶部９に記憶されているプログラムに含まれる命令を実行して、表示部２Ｂおよび通信部６等を制御することによって各種機能を実現する。ここで、制御部１０が実行するプログラムおよび参照するデータは、通信部６による無線通信でサーバ装置からダウンロードすることとしてもよい。
【００３３】
制御部１０は、例えば、メールプログラム９Ａを実行することによって、電子メール機能を実現する。また、制御部１０は、ブラウザプログラム９Ｂを実行することによって、ＷＥＢブラウジング機能を実現する。また、制御部１０は、ロック画面制御プログラム９Ｃを実行することによって、ロック画面を表示する表示部２Ｂを制御する機能、ロック画面の設定および解除する機能、ロック画面上のアイコンに対応付けられたアプリケーションを起動する機能、ならびに、ロック画面上のアイコンを拡大縮小表示または削除する機能等を実現する。また、制御部１０は、テキストエディタを実行することによって、文字編集機能を実現する。ここで、制御部１０は、オペレーティングシステムプログラムによって提供されるマルチタスク機能によって、複数のプログラムを並行して実行できるものとする。
【００３４】
ＲＡＭ１１は、制御部１０によって実行されるプログラムの命令、制御部１０が参照するデータ、制御部１０の演算結果等が一時的に記憶される記憶領域として利用される。
【００３５】
続いて、図３から図１３を参照しながら、上述の携帯電話端末１の制御部１０が実行する制御の例について説明する。
【００３６】
まず、図３のフローチャートに沿って適宜図４〜図８を参照し、本実施形態にかかる携帯電話端末１の基本処理について説明する。図３は、携帯電話端末１の基本処理の一例を示すフローチャートである。ここで、図３に示す処理手順は、ロック画面制御プログラム９Ｃが提供する機能に基づいて繰り返し実行される。また、図３に示す処理は、利用者によりロック状態に設定され、かつ、省電力モード（表示部２Ｂを消灯するモード）に移行している場合に実行される。
【００３７】
図３に示すように、携帯電話端末１の制御部１０は、省電力モード解除操作の入力が検出されたか否かを判定する（ステップＳＡ−１）。本実施形態において、省電力モード解除操作とは、入力部３（第１ボタン３Ａ等）により検出されるクリック操作としている。つまり、本実施形態では、利用者がクリック操作を行うことで省電力モード（表示部２Ｂを消灯するモード）が解除される。
【００３８】
制御部１０は、ステップＳＡ−１において操作部により省電力モード解除操作の入力が検出されたと判定した場合（ステップＳＡ−１：Ｙｅｓ）、省電力モードを解除して、ロック画面を表示させるよう表示部２Ｂを制御する（ステップＳＡ−２）。制御部１０は、ステップＳＡ−２において省電力モードを解除することで、タッチパネル２への接触を検出可能な状態とする。
【００３９】
一方、制御部１０は、ステップＳＡ−１において操作部により省電力モード解除操作の入力が検出されなかったと判定した場合（ステップＳＡ−１：Ｎｏ）、ステップＳＡ−１に戻り、省電力モード解除操作の入力が検出されたと判定されるまで処理を繰り返す。つまり、携帯電話端末１は、省電力モードが解除されるまで省電力モードとなる。
【００４０】
ここで、図４を参照して、ステップＳＡ−２において表示部２Ｂに表示されるロック画面の一例について説明する。図４は、本実施形態にかかるロック画面の一例を示す図である。
【００４１】
本実施形態において、制御部１０は、省電力モード解除操作を検出すると、図４に示すロック画面３０Ａを表示部２Ｂに表示させる。ロック画面３０Ａは、オブジェクト（第１オブジェクト）３１と、経路３２と、アイコン（第２オブジェクト）３３、３４、３５、３６、３７、３８、３９とが表示されている。ロック画面３０Ａは、画面上部に時刻および日付を示す状態表示を表示している。図４において、時刻を示す状態表示は、２１時４４分を示す「２１：４４」であり、日付を示す状態表示は、２月７日（月曜日）である。ロック画面３０Ａは、ロック画面の一例であり、第１オブジェクト３１の形状、表示位置、アイコンの数、構成等は本実施形態に限定されない。
【００４２】
第１オブジェクト３１は、車両を模した画像であり、画面の略中央部分に表示されている。第１オブジェクト３１は、後述する利用者がロック解除するための操作および各アプリケーションを起動するための操作の起点となる位置を明示する画像である。第１オブジェクト３１は、第１オブジェクト３１を起点としたスイープ操作が入力されると、接触位置の移動にあわせて表示位置が移動する。
【００４３】
経路３２は、第１オブジェクト３１が移動可能な軌道を示す画像である。経路３２は、利用者が第１オブジェクト３１を移動させる際に、当該第１オブジェクト３１の移動可能な範囲を示している。経路３２は、第１オブジェクト３１とアイコン３３、３４、３５、３６、３７、３８、３９の夫々とを結ぶ軌跡を、道を模した画像で表示している。また、第１オブジェクト３１とアイコン３３、３４、３５、３６、３７、３８、３９の夫々とを結ぶ軌跡は、一部の軌跡が重なっている。ここで、経路３２は、ロック画面３０Ａにおいて上下方向へ延在する道３２ａと、経路３２の画面の両方の端部まで左右方向へ延在する道３２ｂと、上下方向へ延在する道３２ａから左右方向に分岐した道３２ｃ、３２ｄ、３２ｅ、３２ｆと、を有する。また、経路３２は、道３２ａと道３２ｂとが画面中央で交差している。また、道３２ｃは、道３２ａと道３２ｂとの交差位置（以下、単に「交差位置」という。）よりも画面上側に配置されており、画面右側の端部が道３２ａと繋がっている。つまり、道３２ｃは、道３２ａの交差位置よりも画面上側の部分から画面左側に分岐する道である。道３２ｄは、交差位置よりも画面上側に配置されており、画面左側の端部が道３２ａと繋がっている。つまり、道３２ｄは、道３２ａの交差位置よりも画面上側の部分から画面右側に分岐する道である。道３２ｅは、交差位置よりも画面下側に配置されており、画面右側の端部が道３２ａと繋がっている。つまり、道３２ｅは、道３２ａの交差位置よりも画面下側の部分から画面左側に分岐する道である。道３２ｆは、交差位置よりも画面下側に配置されており、画面左側の端部が道３２ａと繋がっている。つまり、道３２ｄｆ、道３２ａの交差位置よりも画面下側の部分から画面右側に分岐する道である。本実施形態において、第１オブジェクト３１が利用者による操作を待機する位置（つまり、第１オブジェクト３１の初期位置）は、道３２ａと道３２ｂが交差する位置とする。
【００４４】
アイコン３３は、ロック解除処理を実行するショートカットを示す画像である。アイコン３３は、錠前が解除された状態を模した画像であり、ロック解除処理を行うためのショートカットである。アイコン３３は、ロック画面３０Ａの左下に配置され、道３２ｅの左側と繋がっている。また、アイコン３４〜３９は、それぞれ携帯電話端末１が有するアプリケーションに対応する画像である。アイコン３４は、カメラのシャッターを模した画像であり、カメラアプリケーションを起動するためのショートカットである。アイコン３４は、道３２ｂの左方向の端部と繋がる位置に配置されている。アイコン３５は、案内を表現した記号の画像であり、ナビゲーションアプリケーションを起動するためのショートカットである。アイコン３５は、ロック画面３０Ａの左上に配置され、道３２ｃの左側と繋がっている。アイコン３６は、高速道路を模した画像であり、テキストエディタを起動するためのショートカットである。アイコン３６は、道３２ａの上方向の端部と繋がる位置に配置されている。アイコン３７は、封筒を模した画像であり、メールアプリケーションを起動するためのショートカットである。アイコン３７は、ロック画面３０Ａの右上に配置され、道３２ｄの右側と繋がっている。アイコン３８は、額縁を模した画像であり、画像編集アプリケーションを起動するためのショートカットである。アイコン３８は、道３２ｂの右方向の端部と繋がる位置に配置されている。アイコン３９は、メモ用紙を模した画像であり、テキストエディタを起動するためのショートカットである。アイコン３９は、ロック画面３０Ａの右下に配置され、道３２ｆの右側と繋がっている。
【００４５】
図３に戻り、制御部１０による処理の説明を続ける。制御部１０は、ステップＳＡ−２でロック画面を表示した後、操作部により第１オブジェクト３１に対する第１操作の入力が検出されたか否かを判定する（ステップＳＡ−３）。本実施形態において、第１操作とは、第１オブジェクト３１をロック画面の端部へ移動させる操作（スイープ操作等）である。具体的には、第１操作とは、第１オブジェクトをロック画面の端部へ経路３２上を移動させる操作である。
【００４６】
ここで、図４および図５を参照して、ステップＳＡ−３で検出する第１操作の一例について説明する。図５は、第１操作が行われた場合のロック画面の一例を示す図である。
【００４７】
利用者は、図４に示すように交差位置に表示された第１オブジェクト３１が表示されている領域に指を接触させる接触操作を入力する。その後、接触している指を道３２ａに沿って画面下側に移動させる操作、つまり、スイープ操作を入力する。制御部１０は、接触位置の移動を検出した場合、接触位置の移動に合わせて、第１オブジェクト３１の表示位置を移動させる。この時に、制御部１０は、接触位置が道３２ａの表示領域の外に逸れたとしても、一定範囲までの間は第１オブジェクト３１を道３２ａ内に表示させる。この場合の第１オブジェクト３１の表示位置は、道３２ａの表示領域内かつそのときの接触位置に最も近い位置とする。また、接触位置が道３２ａの表示領域よりも一定範囲以上外になった場合には、入力された操作を無効として第１オブジェクト３１を初期位置に戻してもよい。制御部１０は、道３２ａの表示領域から一定範囲以上逸れることなく、指が道３２ａの画面下側の端部まで移動したことを検出した場合、第１オブジェクト３１が道３２ａの下端まで移動された表示を行う（図５のロック画面３０Ｂ）。図５に示すように、ロック画面３０Ｂ中の第１オブジェクト３１は、道３２ａの下方向の端部と繋がる位置にある。当該位置は、制御部１０によるロック解除処理のトリガーとなる位置である。ここで、図５に示すロック画面３０Ｂは、第１オブジェクト３１の表示位置以外は、上述した図４のロック画面３０Ａと同様である。
【００４８】
図３に戻り、制御部１０による処理の説明を続ける。制御部１０は、ステップＳＡ−３で操作部により第１操作（本実施形態では、第１オブジェクト３１をロック画面の端部へ移動させる操作）の入力が検出されたと判定した場合（ステップＳＡ−３：Ｙｅｓ）、ロックを解除する（ステップＳＡ−４）。ここで、ロックを解除するとは、表示部２Ｂに表示されたロック画面から、例えばホーム画面または省電力モード起動前に表示されていた画面へと表示を切り替えることをいう。本実施形態において、ロックとは、ロック画面上の所定のオブジェクトに対する操作の後にパスワード入力操作などの認証操作を要求せずにロック解除する、いわゆる誤操作防止用のロックを例示して説明を行う。
【００４９】
制御部１０は、ステップＳＡ−４でロックを解除した後、各種処理を実行する。具体的には、制御部１０は、タッチセンサ２Ａまたは操作部３で検出した操作に対応する処理（例えばホーム画面に表示したアイコンオブジェクトに対応するアプリケーションの起動、例えば通話、メール送受信、または撮像等）を実行する（ステップＳＡ−５）。
【００５０】
ここで、ステップＳＡ−５において、制御部１０は、各種処理の他、ロック画面の表示設定を行ってもよい。ここで、ロック画面の表示設定とは、ロック画面中に表示されるアイコン（第２オブジェクト）に対応するアプリケーションの選択、アイコンの位置、および、アイコンの初期サイズの設定等を含む。つまり、ステップＳＡ−５において、制御部１０は、ロック画面に表示する第２オブジェクト（アイコン）を設定するショートカット登録処理を行ってもよい。
【００５１】
制御部１０は、ステップＳＡ−５で各種処理を実行した後、操作部によりロック設定操作の入力が検出されたか否かを判定する（ステップＳＡ−６）。本実施形態において、ロック設定操作とは、入力部３（第１ボタン３Ａ等）により検出されるクリック操作としている。この他、制御部１０は、操作部（タッチセンサ２Ａおよび入力部３）が操作入力を検出していない状態が所定時間、つまり最後の操作を検出してからの経過時間がしきい値以上であると判定した場合、ロック状態になるように設定してもよい。ここで、制御部１０は、ステップＳＡ−６の処理を一定時間毎に実行してもよい。
【００５２】
制御部１０は、ステップＳＡ−６で操作部によりロック設定操作の入力が検出されたと判定した場合（ステップＳＡ−６：Ｙｅｓ）、携帯電話端末１をロック状態に設定する（ステップＳＡ−７）。制御部１０は、ステップＳＡ−７でロック状態に設定したら、画面の表示を停止する。つまり、本実施形態の携帯電話端末１は、ステップＳＡ−６で入力部３がクリック操作を検出すると、ロック状態に設定した後、画面の表示を停止し、省電力モードに移行する。制御部１０は、ステップＳＡ−７の処理を実行した後、ステップＳＡ−１に戻る。
【００５３】
制御部１０は、ステップＳＡ−６で操作部によりロック設定操作の入力が検出されなかったと判定した場合（ステップＳＡ−６：Ｎｏ）、ステップＳＡ−５に進み、ステップＳＡ−６においてロック設定操作の入力が検出されたと判定されるまで処理を繰り返す。つまり、利用者は、ロック設定操作を行うまで、例えば携帯電話端末１が有する各種機能（通話機能、メール送受信機能、撮像機能等）を利用する。
【００５４】
ここで、上記ステップＳＡ−３の処理に戻り、制御部１０は、ステップＳＡ−３で操作部により第１操作（本実施形態では、第１オブジェクト３１をロック画面の端部へ移動させる操作）の入力が検出されなかったと判定した場合（ステップＳＡ−３：Ｎｏ）、操作部により第１オブジェクトを第２オブジェクト上にドロップする第２操作（ドロップ操作）の入力が検出されたか否かを判定する（ステップＳＡ−８）。
【００５５】
ここで、図４および図６を参照して、ステップＳＡ−８で検出する第２操作の一例について説明する。図６は、第２操作が行われた場合のロック画面の一例を示す図である。ここで、図６では、一例として、テキストエディタに対応するアイコン３９が選択された場合について説明する。
【００５６】
利用者は、図４に示すように交差位置に表示された第１オブジェクト３１が表示されている領域に指を接触させる接触操作を入力する。その後、接触している指を道３２ａに沿って画面下側に移動させ、道３２ｆとの交差位置にて右方向へ進み、道３２ｆの右側に繋がっているアイコン３９（第２オブジェクト）上まで移動させてから指をリリースする操作、つまり、ドロップ操作を入力する。制御部１０は、接触位置の移動を検出した場合、接触位置の移動に合わせて、第１オブジェクト３１の表示位置を移動させる。この時に、制御部１０は、接触位置が道３２ａおよび道３２ｆの表示領域の外に逸れても、多少（例えば表示領域外の一定範囲内である）の場合、第１オブジェクト３１を道３２ａおよび道３２ｆの表示領域内に表示させる。また、接触位置が道３２ａおよび道３２ｆの表示領域よりも明らかに外側に逸れる（表示領域外から一定範囲を超えて外である）場合は、入力された操作を無効として第１オブジェクト３１を初期位置に戻してもよい。制御部１０は、指が道３２ｆの右側に繋がっているアイコン３９上まで移動したことを検出した場合、図６に示すロック画面３０Ｃを表示する。図６に示すように、ロック画面３０Ｃ中の第１オブジェクト３１は、道３２ｆの右側に繋がっているアイコン３９上に位置する。当該位置は、制御部１０によるテキストエディタの起動処理のトリガーとなる位置である。ここで、図６に示すロック画面３０Ｃは、第１オブジェクト３１の表示位置以外は、上述した図４のロック画面３０Ａと同様である。
【００５７】
図３に戻り、制御部１０による処理の説明を続ける。制御部１０は、ステップＳＡ−８で操作部により第２操作（本実施形態では、第１オブジェクト３１を第２オブジェクト上にドロップする操作）の入力が検出されたと判定した場合（ステップＳＡ−８：Ｙｅｓ）、ロックを解除する（ステップＳＡ−９）。制御部１０は、当該第２オブジェクトに対応するアプリケーションを起動する（ステップＳＡ−１０）。ここで、アプリケーションを起動するとは、表示部２Ｂに表示されたロック画面から、アイコンに対応付けられたアプリケーションを操作する操作画面へと表示を切り替えることをいう。
【００５８】
更に、図６および図７を参照して、ステップＳＡ−１０においてアプリケーションが起動された場合に表示部２Ｂに表示される操作画面の一例について説明する。ここで、図７は、テキストエディタを起動した場合の操作画面の一例を示す図である。
【００５９】
制御部１０は、図６に示すように、第１オブジェクト３１をアイコン３９（第２オブジェクト）と重なる位置でドロップする操作（第２操作）を検出すると、第１オブジェクト３１がドロップされたアイコン３９に対応付けられたアプリケーションであるテキストアプリケーションを起動させる。制御部１０が、テキストアプリケーションを起動させたら、タッチパネル２に図７に示す操作画面４０を表示させる。図７に示すように、操作画面４０は、画面上半分の略全域に入力文字列を確認する表示領域４２と、文字列の入力を行うためのキーボードオブジェクト４４と、表示領域４２の上部左側にテキストエディタに登録されたメモリストを表示させるメモリスト表示ボタンオブジェクト４４と、表示領域４２の上部右側にテキストエディタの処理を完了させる完了ボタンオブジェクト４８とが、表示されている。ここで、図７において、キーボードオブジェクト４６、メモリスト表示ボタンオブジェクト４６、および、完了ボタンオブジェクト４８は、タップ操作により操作可能とする。
【００６０】
図３に戻り、制御部１０による処理の説明を続ける。制御部１０は、ステップＳＡ−１０でアイコンに対応するアプリケーションを起動した後、操作部によりロック設定操作の入力が検出されたか否かを判定する（ステップＳＡ−１１）。本実施形態において、ロック設定操作とは、入力部３（第１ボタン３Ａ等）により検出されるクリック操作としている。この他、制御部１０は、操作部（タッチセンサ２Ａおよび入力部３）が操作入力を検出していない状態が所定時間、つまり最後の操作を検出してからの経過時間が閾値以上であると判定した場合、ロック状態になるように設定してもよい。ここで、制御部１０は、ステップＳＡ−１１の処理を一定時間毎に実行してもよい。
【００６１】
制御部１０は、ステップＳＡ−１１で操作部によりロック設定操作の入力が検出されたと判定した場合（ステップＳＡ−１１：Ｙｅｓ）、携帯電話端末１をロック状態に設定する（ステップＳＡ−１２）。制御部１０は、ステップＳＡ−１２でロック状態に設定したら、画面の表示を停止する。つまり、本実施形態の携帯電話端末１は、ステップＳＡ−１１で入力部３がクリック操作を検出すると、ロック状態に設定した後、画面の表示を停止し、省電力モードに移行する。制御部１０は、ステップＳＡ−７の処理を実行した後、ステップＳＡ−１に戻る。
【００６２】
一方、制御部１０は、ステップＳＡ−１１において操作部によりロック設定操作の入力が検出されなかったと判定した場合（ステップＳＡ−１１：Ｎｏ）、ステップＳＡ−１１においてロック設定操作の入力が検出されたと判定されるまで処理を繰り返す。つまり、利用者は、ロック画面から第２オブジェクトに対応するアプリケーションの起動を行った後、ロック設定操作を行うまで、当該アプリケーションを利用する。本実施形態において、制御部１０によりステップＳＡ−９においてロックが解除されているため、ロック画面からダイレクトに起動されたアプリケーション（例えば、テキストエディタ）の操作を終了後、ホーム画面に戻り、ロック設定操作を行うまで、例えば携帯電話端末１が有するその他の機能（通話機能、メール送受信機能、撮像機能等）を利用してもよい。
【００６３】
ここで、上記ステップＳＡ−８の処理に戻り、制御部１０は、ステップＳＡ−８で操作部により第１オブジェクト３１をアイコン３９（第２オブジェクト）上にドロップする操作の入力が検出されなかったと判定した場合（ステップＳＡ−８：Ｎｏ）、ロックを解除せず、かつ、アプリケーションも起動せずに、ステップＳＡ−１３の処理へ移行する。
【００６４】
制御部１０は、操作部により何らかの操作の入力が検出されない待機時間が所定の閾値以上であるか否かを判定する（ステップＳＡ−１３）。
【００６５】
制御部１０は、ステップＳＡ−１３において待機時間が所定の閾値以上であると判定した場合（ステップＳＡ−１３：Ｙｅｓ）、省電力モードに移行する（ステップＳＡ−１４）。その後、処理を終了する。
【００６６】
一方、制御部１０は、ステップＳＡ−１３において待機時間が所定の閾値未満であると判定した場合（ステップＳＡ−１３：Ｎｏ）、ステップＳＡ−３の処理へ戻る。
【００６７】
このように、本実施形態の携帯電話端末１の制御部１０は、第１オブジェクト３１、および、アプリケーションが対応付けられた少なくとも１つのアイコン（第２オブジェクト）含むロック画面を表示部２Ｂに表示させる（上記ステップＳＡ−２に対応）。制御部１０は、操作部により第１オブジェクト３１に対する第１操作（本実施形態では、第１オブジェクト３１をロック画面の端部へ移動させる操作）の入力が検出された場合は（上記ステップＳＡ−３：Ｙｅｓに対応）、ロックを解除する（上記ステップＳＡ−４）。具体的には、携帯電話端末１の制御部１０は、操作部により、第１オブジェクト３１をロック画面の端部へ経路３２上を移動させる第１操作の入力が検出された場合は、ロックを解除する。
【００６８】
また、制御部１０は、上述の図６に示すように、操作部により第１オブジェクト３１をテキストエディタのアイコン３９（第２オブジェクト）上にドロップする第２操作の入力が検出された場合、ロックを解除する。制御部１０は、更に、図７に示すように、当該アイコン３９に対応するテキストエディタを起動する。同様に、制御部１０は、操作部により第１オブジェクト３１をアイコン（第２オブジェクト）３３〜３８のいずれかにドロップする第２操作を検出した場合、当該ドロップされた位置のアイコンに対応するアプリケーションを起動する。
【００６９】
このように、本実施形態によれば、ロック画面から、誤操作を防止しつつ、ロック解除と同時にダイレクトに機能を起動することができる。例えば、画面ロック状態において、第１オブジェクト３１を移動させてテキストエディタに該当するアイコン（第２オブジェクト）上にドロップ操作することで、ロック解除と同時に、メモ入力画面（操作画面）を起動できる。更に、本実施形態によれば、ロック画面から、アイコンに対応付けられたアプリケーションを起動せずに、ロック解除のみを行うこともできる。例えば、利用者は、第１オブジェクト３１の周辺に表示されたアイコン群をすり抜けるようにして、最初にタッチしたオブジェクトを画面端部から外へとスイープ（あるいはフリック）することで、通常のロック解除のみを行うこともできる。また、本実施形態によれば、第１オブジェクト３１が移動可能な起動に対応する経路３２をロック画面中に表示しているため、利用者はロック解除またはアプリケーション起動を行う場合に第１オブジェクト３１を経路３２上に沿って移動させる必要がある。このように、第１オブジェクト３１に対して移動制限を加えることにより、物等の接触による誤操作から、利用者が意図しないロック解除またはアプリケーション起動が行われる状況を防止することができる。したがって、本実施形態によれば、誤操作を防止しつつ、ロック画面から利用者が違和感無く迅速にアプリケーションを起動できるので、利用者の利便性がより向上される。
【００７０】
ここで、制御部１０は、ロック画面を表示後、操作部によりロック画面上の第２オブジェクトのうち一の第２オブジェクトを他の第２オブジェクト上にドロップする操作の入力が検出された場合、当該一の第２オブジェクトと当該他の第２オブジェクトの表示位置を入れ替えて表示するよう表示部２Ｂを制御してもよい。
【００７１】
一例として、図８を参照し、利用者の操作によりアイコン（第２オブジェクト）の表示位置が入れ替えられたロック画面について説明する。図８は、アイコンの入れ替え操作が行われた場合のロック画面の一例を示す図である。図８に示すロック画面３０Ｄにおいて、アイコン３４（一の第２オブジェクト）とアイコン３５（他の第２オブジェクト）は、上述の図４に示すロック画面３０Ａ中のアイコン３４とアイコン３５と比較すると、表示位置が入れ替わっている。これは、携帯電話端末１の操作部により、上述の図４に示すロック画面３０Ａ上のアイコン３４を移動させてアイコン３５上にドロップする操作の入力が検出された場合、図８に示すロック画面３０Ｄのように、アイコン３４とアイコン３５の表示位置を入れ替えて表示するよう表示部２Ｂを制御部１０が制御した結果である。同様に、図８に示すロック画面３０Ｄにおいて、アイコン３７（一の第２オブジェクト）とアイコン３９（他の第２オブジェクト）は、上述の図４に示すロック画面３０Ａ中のアイコン３７とアイコン３９と比較すると、表示位置が入れ替わっている。このように、本実施形態によれば、利用者はロック画面に表示中のアイコンの位置を所望の位置へ自由に変更することができるので、利用者の利便性がより向上される。
【００７２】
また、制御部１０は、上記ステップＳＡ−３において、上述の図４に示すように、操作部により第１オブジェクト３１をロック画面３０Ａ（第１の画面）の下方向の端部へ経路３２上を移動させる操作（図４において、何もアイコンが表示されていない道３２の下端（特定端部）へと移動させる第３操作）の入力が検出された場合、ロックを解除せずに、当該ロック画面３０Ａから別のロック画面（第２の画面）へ表示を切り替えるよう表示部２Ｂを制御してもよい。ここで、別のロック画面（第２の画面）は、第１オブジェクト３１、および、ロック画面３０Ａ（第１の画面）に含まれるアプリケーションとは別のアプリケーションが対応付けられた少なくとも１つの第２オブジェクト含むものとする。このように、本実施形態によれば、最初に表示されるロック画面（第１の画面）中に頻繁に用いるアプリケーションのアイコンを表示し、時々使用する程度のアプリケーションのアイコンを別のロック画面（第２の画面）中に表示させることができる。そのため、利用者は、ロック画面から直接起動するアプリケーションのアイコンを、重要度または使用頻度によって階層付けて整理することができるので、利用者の利便性がより向上される。
【００７３】
また、制御部１０は、上記ステップＳＡ−４において、ロック解除のショートカットを用いてロックを解除してもよい。例えば、制御部１０は、第１オブジェクト３１を経路３２に沿って移動させて、ロック解除用のアイコン３３（上述の図４参照）上にドロップする操作の入力が、操作部により検出されたと判定した場合、ロックを解除してもよい。また、本実施形態の携帯電話端末１の制御部１０は、上記ステップＳＡ−１０において、第１オブジェクト３１をロック画面の上方向の端部に位置する高速道路を模したアイコン３６（上述の図４参照）へ経路３２上を移動させることでテキストエディタを起動してもよい。このように、本実施形態によれば、ロック画面からロック解除またはアプリケーション起動を行う操作を利用者の好みに応じて選択できるため、利用者の利便性がより向上される。
【００７４】
また、本実施形態の携帯電話端末１の制御部１０は、操作部により第１オブジェクト３１を始点として経路上を所定距離移動させる操作が検出された場合、所定距離に対応付けられたアプリケーションを起動してもよく、ロック解除等の所定の処理を行ってもよい。一例として、ロック画面に左右方向へ延在する経路が表示されており、第１オブジェクト３１の初期位置が当該経路の左端に位置する場合を想定する。この場合、制御部１０は、操作部により第１オブジェクト３１を経路の３分の１に相当する距離まで移動させる操作が検出された場合、第１のアプリケーションを起動してもよい。また、制御部１０は、操作部により第１オブジェクト３１を経路の３分の２に相当する距離まで移動させる操作が検出された場合、第２のアプリケーションを起動してもよい。また、制御部１０は、第１オブジェクト３１を経路の右側の端部まで移動させる操作が検出された場合、ロック解除を行ってもよい。このように、本実施形態によれば、第１オブジェクトをアプリケーションのアイコン上の位置へ移動させるだけでなく、経路上を所定距離移動させることで所望のアプリケーションを起動させることができる。例えば、利用者は、経路の左端から右端にオブジェクト３１を一気に移動させる操作により、複数のアプリケーションを一度の操作で起動させることができるので、利用者の利便性がより向上される。
【００７５】
次に、図９および図１０を参照し、本実施形態にかかる携帯電話端末１が実行する、アプリケーションの使用頻度に基づく表示制御処理の一例について説明する。図９は、携帯電話端末１の表示制御処理の一例を示すフローチャートである。図９のフローチャートは、上述の図３のステップＳＡ−２において制御部１０により実行されるロック画面の表示処理を詳細に説明するものである。ここで、図９に示す処理手順は、ロック画面制御プログラム９Ｃが提供する機能に基づいて繰り返し実行される。
【００７６】
図９に示すように、携帯電話端末１の制御部１０は、記憶部９の使用頻度情報ファイル９Ｅから、携帯電話端末１が有する各アプリケーションの使用頻度を示す使用頻度情報を取得する（ステップＳＢ−１）。本実施形態において、使用頻度情報は、アプリケーションが起動される度にカウントされる使用回数を示す数値データである。
【００７７】
制御部１０は、ステップＳＢ−１において使用頻度情報ファイル９Ｅから使用頻度情報を取得後、当該使用頻度情報に基づいてロック画面に表示される第２オブジェクトの表示サイズを決定する（ステップＳＢ−２）。具体的には、制御部１０は、使用頻度が高いアプリケーションの第２オブジェクトの表示サイズを、予め設定された初期サイズよりも拡大させたサイズに変更する。ここで、制御部１０は、使用頻度が高いアプリケーションの第２オブジェクトの表示サイズを、使用頻度が高い順に拡大させたサイズに変更してもよい。また、制御部１０は、使用頻度が低いアプリケーションの第２オブジェクトの表示サイズを、予め設定された初期サイズよりも縮小させたサイズに変更する。ここで、制御部１０は、使用頻度が低いアプリケーションの第２オブジェクトの表示サイズを、使用頻度が低い順に縮小させたサイズに変更してもよい。
【００７８】
制御部１０は、ステップＳＢ−２においてロック画面に表示される第２オブジェクトの表示サイズを決定後、決定された表示サイズに従って各第２オブジェクトの表示サイズを変更させた状態で、ロック画面を表示させるよう表示部２Ｂを制御する（ステップＳＢ−３）。
【００７９】
ここで、図１０を参照し、ステップＳＢ−３において表示部２Ｂに表示されるロック画面の一例について説明する。図１０は、アプリケーションの使用頻度に基づいてアイコン（第２オブジェクト）が拡大縮小表示された場合のロック画面の一例を示す図である。
【００８０】
制御部１０は、図１０に示すようなロック画面３０Ｅを表示部２Ｂに表示させる。図１０に示すように、ロック画面３０Ｅでは、使用頻度が高いアプリケーションのアイコン（第２オブジェクト）が、使用頻度が高い順に拡大された状態で表示されている。例えば、図１０において、テキストエディタのアイコン３９は、初期サイズのアイコン３３およびアイコン３７よりも拡大された状態で表示されている。また、高速道路を模したテキストエディタを起動するアイコン３６と、画像編集アプリケーションのアイコン３８は、初期サイズのアイコン３４よりも拡大された状態で表示されている。ここで、アイコン３６に対応するテキストエディタは、アイコン３８に対応する画像アプリケーションよりも使用頻度が高いため、アイコン３６の表示サイズは、アイコン３８よりも拡大された状態で表示されている。また、図１０に示すように、ロック画面３０Ｅでは、使用頻度が低いアプリケーションのアイコンが、使用頻度が低い順に縮小された状態で表示されている。例えば、図１０において、ナビゲーションアプリケーションのアイコン３５は、初期サイズのアイコン３３およびアイコン３７よりも縮小された状態で表示されている。
【００８１】
このように、本実施形態によれば、制御部１０は、記憶部９の使用頻度情報ファイル９Ｄに記憶された使用頻度情報に基づいて、使用頻度がより高いアプリケーションの第２オブジェクトをより大きく表示し、使用頻度がより低いアプリケーションの第２オブジェクトをより小さく表示することができる。これにより、利用者は、頻繁に使用するアプリケーションと、あまり使用しないアプリケーションとを、視覚的に容易に判別することができる。その結果、利用者は、使用頻度に基づいてロック画面から直接起動するアプリケーションに対応するアイコン（第２オブジェクト）を効率的に整理することができるので、利用者の利便性がより向上される。
【００８２】
最後に、図１１のフローチャートに沿って適宜図１２および図１３を参照し、本実施形態にかかる携帯電話端末１が実行する、アプリケーションの使用頻度に基づく表示制御処理の別の一例について説明する。図１１は、携帯電話端末１の表示制御処理の別の一例を示すフローチャートである。図１１のフローチャートは、上述の図３のステップＳＡ−２において制御部１０により実行されるロック画面の表示処理をより詳細に説明するものである。ここで、図１１に示す処理手順は、ロック画面制御プログラム９Ｃが提供する機能に基づいて繰り返し実行される。
【００８３】
図１１に示すように、携帯電話端末１の制御部１０は、記憶部９の使用頻度情報ファイル９Ｅから、携帯電話端末１が有する各アプリケーションの使用頻度を示す使用頻度情報を取得する（ステップＳＣ−１）。本実施形態において、使用頻度情報は、アプリケーションが起動される度にカウントされる使用回数を示す数値データである。また、使用頻度情報は、所定期間内におけるアプリケーションの使用回数を示す数値データであってもよい。
【００８４】
制御部１０は、ステップＳＣ−１において使用頻度情報ファイル９Ｅから所定期間内における使用頻度情報を取得後、当該使用頻度情報が示す各アプリケーションの所定期間内における使用頻度が所定の閾値未満であるか否かを判定する（ステップＳＣ−２）。
【００８５】
制御部１０は、ステップＳＣ−２において使用頻度が所定の閾値未満である（使用頻度＜閾値）と判定された場合（ステップＳＣ−２：Ｙｅｓ）、ロック画面に表示中の第２オブジェクトのうち、該当する第２オブジェクトを消去するよう表示部２Ｂを制御する（ステップＳＣ−３）。
【００８６】
ここで、図１２を参照し、ステップＳＣ−３において表示部２Ｂに表示されるロック画面の一例について説明する。図１２は、所定期間内で使用頻度が所定閾値未満となるアプリケーションのアイコン（第２オブジェクト）が消去された場合のロック画面の一例を示す図である。
【００８７】
図１２に示すロック画面３０Ｆでは、画面の左上の点線で示す所定領域５０に表示されていた第２オブジェクト（図１０のアイコン３５参照）が消去されている。つまり、上述の図１０では、アイコン３５（第２オブジェクト）は、使用頻度が低いため縮小された状態で表示されていたが、図１２に示すロック画面３０Ｆでは、制御部１０によりアイコン３５に対応するナビゲーションアプリケーションの使用頻度が閾値未満であると判定されたため消去されている。ここで、図１２に示すロック画面３０Ｆは、所定領域５０に表示されていた第２オブジェクトが消去されている以外は、上述した図１０のロック画面３０Ｅと同様である。
【００８８】
このように、本実施形態によれば、制御部１０は、記憶部９の使用頻度情報ファイル９Ｅに記憶された使用頻度情報に基づいて、ロック画面に含まれる第２オブジェクトのうち、使用頻度が所定閾値未満となるアプリケーションの第２オブジェクトを、ロック画面に表示しないように制御することができる。これにより、ロック画面上にアイコン（第２オブジェクト）を登録したものの、あまり使用しないアプリケーションに対応するアイコンについては、自動的に消去することができる。その結果、利用者は、使用頻度に基づいて効率的にアイコンを整理することができるので、利用者の利便性がより向上される。
【００８９】
再び図１１に戻り、制御部１０は、ステップＳＣ−２において使用頻度が所定の閾値以上である（使用頻度≧閾値）と判定された場合（ステップＳＣ−２：Ｎｏ）、ロック画面に表示中のアイコンに対応するアプリケーションとは別のアプリケーションのうち、該当するアプリケーションに対応する新しい第２オブジェクトをロック画面上に表示させるよう表示部２Ｂを制御する（ステップＳＣ−４）。
【００９０】
ここで、図１３を参照し、ステップＳＣ−４において表示部２Ｂに表示されるロック画面の一例について説明する。図１３は、使用頻度が所定閾値以上となるアプリケーションのアイコン（第２オブジェクト）が表示された場合のロック画面の一例を示す図である。
【００９１】
図１３に示すロック画面３０Ｇでは、画面の左上に表示されていた第２オブジェクト（図１０のアイコン３５参照）の代わりに、カレンダーアプリケーションに対応する新しいアイコン６０（第２オブジェクト）が表示されている。つまり、図１３に示すロック画面３０Ｇでは、制御部１０により、上述の図１０に示すロック画面３０Ｅに表示中のアイコン３３〜３９に対応するアプリケーションとは別のカレンダーアプリケーションに対応する新しいアイコン６０が表示されている。ここで、図１３に示すロック画面３０Ｇは、アイコン６０がアイコン３５の代わりに表示されている以外は、上述した図１０のロック画面３０Ｅと同様である。
【００９２】
また、本実施形態によれば、制御部１０は、記憶部９の使用頻度情報ファイル９Ｅに記憶された使用頻度情報に基づいて、ロック画面に含まれる第２オブジェクトのアプリケーションとは別のアプリケーションのうち、使用頻度が所定閾値以上となるアプリケーションの第２オブジェクトを、ロック画面に表示させることができる。これにより、ロック画面上に登録していないアイコン（第２オブジェクト）であっても、頻繁に使用するアプリケーションであれば、当該アプリケーションに対応する新規アイコンを自動的にロック画面上に登場させることができる。その結果、利用者は、使用頻度に基づいて効率的にアイコンを整理することができるので、利用者の利便性がより向上される。
【符号の説明】
【００９３】
１  携帯電話端末（携帯電子機器）
２  タッチパネル
２Ａ  タッチセンサ（操作部）
２Ｂ  表示部
３  入力部（操作部）
３Ａ  第１ボタン
３Ｂ  第２ボタン
５  電源部
６  通信部
７  レシーバ
８  マイク
９  記憶部
９Ａ  メールプログラム
９Ｂ  ブラウザプログラム
９Ｃ  ロック画面制御プログラム
９Ｄ  ロック画面データ
９Ｅ  使用頻度情報ファイル
１０  制御部
１１  ＲＡＭ
２０  筐体
３０Ａ，３０Ｂ，３０Ｃ，３０Ｄ，３０Ｅ，３０Ｆ，３０Ｇ  ロック画面
３１  オブジェクト（第１オブジェクト）
３３，３４，３５，３６，３７，３８，３９，６０  アイコン（第２オブジェクト）
４０  操作画面
４２  表示領域
４４  キーボードオブジェクト
４６  メモリスト表示ボタンオブジェクト
４８  完了ボタンオブジェクト
５０  所定領域
【図１】
2013041378.tif 000003
【図２】
2013041378.tif 000004
【図３】
2013041378.tif 000005
【図４】
2013041378.tif 000006
【図５】
2013041378.tif 000007
【図６】
2013041378.tif 000008
【図７】
2013041378.tif 000009
【図８】
2013041378.tif 000010
【図９】
2013041378.tif 000011
【図１０】
2013041378.tif 000012
【図１１】
2013041378.tif 000013
【図１２】
2013041378.tif 000014
【図１３】
2013041378.tif 000015